(57)【特許請求の範囲】
【請求項１】
カーテンの上縁を支持する支持部と、カーテン案内部材に係合する係合部と、該カーテンの鉛直方向の途中を保持するための保持部とを有することを特徴とするカーテン吊り下げ器具。
【請求項２】
請求項１に係るカーテン吊り下げ器具において、該保持部は、ベルトアジャスター状に延長形成したベルトアジャスター部材と、該ベルトアジャスター部材に係合し選択的に上下の調整が可能な可動アジャスター部材とからなることを特徴とするカーテン吊り下げ器具。
【請求項３】
請求項１に係るカーテン吊り下げ器具において、該保持部は、面ファスナーを用いて構成されることを特徴とするカーテン吊り下げ器具。
【請求項４】
請求項１に係るカーテン吊り下げ器具において、該保持部は、該カーテン吊り下げ器具の本体に設けられた螺子穴部又は針保持部と、先端を針状に加工し該螺子穴にねじ止めされる螺子部又は該針保持部に差込み固定される針部を有する部材とからなることを特徴とするカーテン吊り下げ器具。
【請求項５】
請求項１に係るカーテン吊り下げ器具において、該保持部は、該カーテン吊り下げ器具の本体に設けられ、先端を針状に加工した螺子部又は針部と、該螺子部又は該針部に結合固定される結合部材からなることを特徴とするカーテン吊り下げ器具。
【請求項６】
請求項１に係るカーテン吊り下げ器具において、該保持部は、該カーテン吊り下げ器具の本体に設けられた狭持部からなることを特徴とするカーテン吊り下げ器具。
【請求項７】
請求項１に係るカーテン吊り下げ器具において、該保持部は、狭持部及び係合部からなる狭持部材と、該カーテン吊り下げ器具の本体に設けられ、該狭持部材の係合部を保持するための係合保持部とからなることを特徴とするカーテン吊り下げ器具。
【請求項８】
請求項６又は７に係るカーテン吊り下げ器具において、該狭持部は、クリップで形成されていることを特徴とするカーテン吊り下げ器具。
【請求項９】
請求項６に係るカーテン吊り下げ器具において、該狭持部は、下側を開放端とする略コ字状の断面形状を有する可動部材と、該カーテン吊り下げ器具の本体に設けられ、該可動部材を内部に保持すると共に上下方向に移動自在に案内するための案内保持部とからなり、該可動部材が下方に向かって移動するに従い、該可動部材の開放端の幅が狭くなるように、該案内保持部の案内部の形状を形成したことを特徴とするカーテン吊り下げ器具。
【請求項１０】
請求項９に係るカーテン吊り下げ器具において、該可動部材は、該カーテン吊り下げ器具の本体から突出する位置まで延びた操作レバーを有することを特徴とするカーテン吊り下げ器具。
【請求項１１】
請求項６に係るカーテン吊り下げ器具において、該狭持部は、周面にギヤ形状を有する可動部材と、該カーテン吊り下げ器具の本体に設けられ、該可動部材を内部に保持すると共に上下方向に移動自在に案内し、下部付近には該可動部材のギヤ形状部分と噛合う複数の溝が形成されている案内保持部とからなることを特徴とするカーテン吊り下げ器具。
【請求項１２】
請求項１１に係るカーテン吊り下げ器具において、該案内保持部の下部付近には、該可動部材を上方に押し上げるための押上げ用穴が形成されていることを特徴とするカーテン吊り下げ器具。
【請求項１３】
請求項１乃至１２のいずれかに記載されたカーテン吊り下げ器具において、カーテン案内部材に係合する係合部は、フック又はリングで構成されていることを特徴とするカーテン吊り下げ器具。
【請求項１４】
請求項１乃至１３のいずれかに記載されたカーテン吊り下げ器具を用いて、カーテンの鉛直方向の途中を該器具に保持させたことを特徴とするカーテン。
【請求項１５】
請求項２、３，７又は８のいずれかに記載されたカーテン吊り下げ器具を用いて、カーテンの鉛直方向の途中に、該保持部を構成する一部の部材を取り付けたことを特徴とするカーテン。
【発明の詳細な説明】
【０００１】
【発明の属する技術分野】
本発明は、日常多用されるカーテンに対し、その吊り下げ丈を調整するカーテン吊り下げ器具とそれを用いたカーテンに関するものである。
【０００２】
【従来の技術】
カーテンは、使う場所により種々の仕様が求められ、所望のカーテンの丈の長さは種々に異なる。従来より、カーテンの上縁を保持する保持部と、フックやリングなどのように、カーテンレール等のカーテン案内部材に係合する係合部とを分離し、相対的な位置調整を可能としたカーテン吊り下げ器具が提案されている。これは、該相対的位置を調整することにより、カーテンの吊り下げ位置を上下方向に調整することを可能にするものである。
しかしながら、既成の縫い上がりカーテンを用いる場合、従来のカーテンの吊り下げ位置調整のみでは、カーテン丈（カーテンの上縁部からカーテン下端部までの距離）の調整幅に制限があり、カーテンの裾を一旦解いて、必要な丈に縫い直したり、場合によっては裾の長すぎる部分を切り取ることもあった。
【０００３】
【発明が解決しようとする課題】
本発明は、カーテン丈の調整幅を大きくし、上述のようにカーテンの裾を再縫製又は、切り取るなどの調整する手間を省き、簡易にカーテンの丈の調整が可能なカーテン吊り下げ器具及び当該カーテン吊り下げ器具を用いたカーテンを提供することを目的とする。
【０００４】
【課題を解決するための手段】
これらの課題を解決するために、請求項１に係る発明は、カーテンの上縁を支持する支持部と、カーテン案内部材に係合する係合部と、該カーテンの鉛直方向の途中を保持するための保持部とを有することを特徴とするカーテン吊り下げ器具を構成する。
【０００５】
また、請求項２に係る発明は、請求項１に係るカーテン吊り下げ器具において、該保持部は、ベルトアジャスター状に延長形成したベルトアジャスター部材と、該ベルトアジャスター部材に係合し選択的に上下の調整が可能な可動アジャスター部材とからなることを特徴とする。
【０００６】
また、請求項３に係る発明は、請求項１に係るカーテン吊り下げ器具において、該保持部は、面ファスナーを用いて構成されることを特徴とする。
【０００７】
また、請求項４に係る発明は、請求項１に係るカーテン吊り下げ器具において、該保持部は、該カーテン吊り下げ器具の本体に設けられた螺子穴部又は針保持部と、先端を針状に加工し該螺子穴にねじ止めされる螺子部又は該針保持部に差込み固定される針部を有する部材とからなることを特徴とする。
【０００８】
また、請求項５に係る発明は、請求項１に係るカーテン吊り下げ器具において、該保持部は、該カーテン吊り下げ器具の本体に設けられ、先端を針状に加工した螺子部又は針部と、該螺子部又は該針部に結合固定される結合部材からなることを特徴とする。
【０００９】
また、請求項６に係る発明は、請求項１に係るカーテン吊り下げ器具において、該保持部は、該カーテン吊り下げ器具の本体に設けられた狭持部からなることを特徴とする。
【００１０】
また、請求項７に係る発明は、請求項１に係るカーテン吊り下げ器具において、該保持部は、狭持部及び係合部からなる狭持部材と、該カーテン吊り下げ器具の本体に設けられ、該狭持部材の係合部を保持するための係合保持部とからなることを特徴とする。
【００１１】
また、請求項８に係る発明は、請求項６又は７に係るカーテン吊り下げ器具において、該狭持部は、クリップで形成されていることを特徴とする。
【００１２】
また、請求項９に係る発明は、請求項６に係るカーテン吊り下げ器具において、該狭持部は、下側を開放端とする略コ字状の断面形状を有する可動部材と、該カーテン吊り下げ器具の本体に設けられ、該可動部材を内部に保持すると共に上下方向に移動自在に案内するための案内保持部とからなり、該可動部材が下方に向かって移動するに従い、該可動部材の開放端の幅が狭くなるように、該案内保持部の案内部の形状を形成したことを特徴とする。
【００１３】
また、請求項１０に係る発明は、請求項９に係るカーテン吊り下げ器具において、該可動部材は、該カーテン吊り下げ器具の本体から突出する位置まで延びた操作レバーを有することを特徴とする。
【００１４】
また、請求項１１に係る発明は、請求項６に係るカーテン吊り下げ器具において、該狭持部は、周面にギヤ形状を有する可動部材と、該カーテン吊り下げ器具の本体に設けられ、該可動部材を内部に保持すると共に上下方向に移動自在に案内し、下部付近には該可動部材のギヤ形状部分と噛合う複数の溝が形成されている案内保持部とからなることを特徴とする。
【００１５】
また、請求項１２に係る発明は、請求項１１に係るカーテン吊り下げ器具において、該案内保持部の下部付近には、該可動部材を上方に押し上げるための押上げ用穴が形成されていることを特徴とする。
【００１６】
また、請求項１３に係る発明は、請求項１乃至１２のいずれかに記載されたカーテン吊り下げ器具において、カーテン案内部材に係合する係合部は、フック又はリングで構成されていることを特徴とする。
【００１７】
また、請求項１４に係る発明は、請求項１乃至１３のいずれかに記載されたカーテン吊り下げ器具を用いて、カーテンの鉛直方向の途中を該器具に保持させたことを特徴とするカーテンで構成する。
【００１８】
また、請求項１５に係る発明は、請求項２、３，７又は８のいずれかに記載されたカーテン吊り下げ器具を用いて、カーテンの鉛直方向の途中に、該保持部を構成する一部の部材を取り付けたことを特徴とするカーテンで構成する。
【００１９】
【発明の実施の形態】
図１は、本発明のカーテン吊り下げ器具の基本的な構成を示す図である。
本発明のカーテン吊り下げ器具は、カーテンの上縁を支持する支持部Ａと、カーテン案内部材に係合する係合部Ｂと、該カーテンの鉛直方向の途中を保持するための保持部Ｃとの、３つの構成要素からなる。
支持部Ａ又は係合部Ｂについては、カーテン自体の形状・材質、カーテン案内部材の形状等により、従来より種々の形状・材質が提案されている。本発明では、これらの従来技術が利用できるだけでなく、「従来の技術」欄で述べたように、支持部Ａと係合部Ｂについては相対的な位置を可変に構成でき、例えば、支持部Ａ側にベルトアジャスター部材を設け、係合部Ｂ側に該ベルトアジャスター部材上の任意の位置に位置決めされる可動アジャスターを設けるような構成を採用することもできる。
【００２０】
保持部Ｃの構成は、本発明の特徴をなす部分であり、以下にその構成について詳細に説明する。
図２は、カーテン全体を表面から見た図である。１は、カーテン本体であり、カーテンとしての所望の丈Ｈ（カーテンレール等のカーテン案内部材９で規定されてるカーテン上縁部２からカーテン下端部３までの距離）は、カーテンの取り付け場所によって種々に異なる。
４は、カーテンを鉛直方向の途中で折り曲げた場所を示す線であり、５は、カーテン吊り下げ器具１０により保持されたカーテンの折り曲げ場所を示す線である。
【００２１】
図３は、図２のカーテンを裏面から見た図であり、図３に示す符号は、図２と同様の内容を意味する。ただし、６は上縁部２で折り曲げられたカーテン生地の先端であり、２０は、カーテン吊り下げ器具の一部を構成する可動アジャスターである。
図４は、図３の一点鎖線Ｄで切断した場合の断面図を示す。
１１は、カーテンの上縁を支持する支持部であり、一般にカーテンを上縁部２で折り曲げた箇所に、該支持部を送入し、カーテンを吊り下げる機能を発揮する。１２は、カーテンを支持するカーテン吊り下げ器具を、カーテンレール等のカーテン案内部材に吊り下げるためのフックである。なお、フック１２のような係合部は、カーテン案内部材との係合関係により、リングやマグネットなどのように、各種の形状が選択できる。
１３は、カーテン吊り下げフック１２の下部を、ベルトアジャスター状に延長形成したベルトアジャスター部である。ベルトアジャスター部には、凸又は凹部１４が形成されている。２０は、可動アジャスター部材であり、カーテンの下方に分布して取り付けられ、ベルトアジャスター部１３に挿嵌され、選択的に上下に位置調整できるよう構成される。このように、ベルトアジャスター部１３と可動アジャスター部材２０により、カーテン吊り下げ器具における、カーテンの鉛直方向の途中を保持するための保持部が構成される。
【００２２】
カーテン吊り下げ器具の利用方法は、次のとおりである。
まず、可動アジャスター部材をカーテン裏面の下方に分布して取り付け、また、支持部１１をカーテン裏面上縁に所定の間隔で取り付けた後、カーテン吊り下げフック１２を、カーテンレール９のランナー（図示省略）に係止する。
この状態から所望のカーテン丈に調整するために、前記フック１２の下方のベルトアジャスター部材１３に、所定の間隔で、分布して取り付けた可動アジャスター部材２０を、ベルトアジャスター部１３の下端より組み込み、所望の丈の位置まで上下調整して止める。
これにより、カーテンレールのランナーに支持されたフック１２と、それに組み込まれた可動アジャスター部材２０により、カーテンは、所望の丈を保って吊り下げられる。
なお、ベルトアジャスターと可動アジャスターとの配置関係は、上述した形状に限定されるものではなく、例えば、ベルトアジャスター部材をカーテン裏面の下方に分布して取り付け、２０に類似の形状を有する可動アジャスター部をカーテン吊り下げ器具本体側に設けることも可能である。このように、カーテン吊り下げ器具の保持部を２つ以上の部材の係合関係で構成する場合には、これらの配置関係を逆にすることも、本発明の範囲に含まれるものである。
【００２３】
図５，６は、ベルトアジャスター部と可動アジャスターの具体的な一例を示す図である。
図５は、ベルトアジャスター部１３と可動アジャスター部材２０で構成される。ベルトアジャスター部１３の表面には、凸部１４が所定間隔で設けられている。可動アジャスター２０は、カーテン裏面に縫い付けるための穴２４及び凸部１４と係合する凸部２１とを有する鍔状部２３と、該鍔状部２３をベルトアジャスター部１３に押圧するための把持部２２とから構成される。把持部２２の一部は、図５（ａ）に示すように、必要に応じて切断又は開口などの状態が設けられており、可動アジャスター部材２０が上下に移動する際に、把持部２２が変形し、可動アジャスター側の凸部２１が、ベルトアジャスター側の凸部１４を乗り越えることが可能なように構成される。図５（ｂ）は、図５（ａ）の一点鎖線Ｅで切断した場合の断面図である。
【００２４】
また、図６は、他の実施例であり、ベルトアジャスター部３０と可動アジャスター部材４０により構成される。ベルトアジャスター部３０の側面の略中央には、図６（ｂ）（図６（ａ）の一点鎖線Ｆにおける断面図）に示すように、鋸状の凹凸３１が形成されている。可動アジャスター部材４０には、該凹凸３１と係合すると共に、可動アジャスター部材４０の上方移動に応じて弾性変形可能な係合爪４１と、縫製用穴４３を配置した鍔状部４２とが設けられている。
【００２５】
図７〜９は、カーテンの鉛直方向の途中を保持するための保持部の他の実施例である。
図７は、図３と同様に、カーテンを裏面から見た図である。図７の一点鎖線Ｇにおける断面図を、図８に示す。カーテンの途中は、ピン状部材５５により、カーテン吊り下げ器具本体に固定されている。
ピン状部材の先端部は、図９に示すように、針状に加工した螺子部５７又は針部５８を有し、該先端部の根元側は、ピン状部材の頭部５６に埋設固定されされている。
他方、カーテン吊り下げ器具側には、螺子部５７又は針部５８を挿入固着するための結合部５１が形成されている。
【００２６】
ピン状部材５５を用いたカーテン吊り下げ器具の利用方法は、カーテンの下方の所定位置に対し、カーテン表面からピン状部材５５を刺し込み、ピン状部材の先端部をカーテン吊り下げ器具本体の結合部５１に結合し、カーテンの鉛直方向の途中をカーテン吊り下げ器具に保持させる。
また、カーテン吊り下げ器具の支持部で、カーテンの裏面上縁を所望の間隔で支持すると共に、カーテン吊り下げフックを、カーテンレールのランナー（図示省略）に係止する。これにより、カーテンは所望の丈を支持して吊り下げられる。
【００２７】
図１０，１１は、カーテン吊り下げ器具の保持部を、クリップなどの狭持機能を有する部材で構成したものである。
図１０では、カーテン吊り下げ器具本体６２上に、回動可能に配置された可動部材６１を設け、両者をバネなどの復元性のある弾性部材で連結することにより、両者を狭持方向の押圧状態に維持する。両者が接触する狭持部分では、必要に応じて複数の溝が形成され、狭持効果を高めるように構成される。
【００２８】
図１１は、狭持機能を有する部材８０を、カーテン吊り下げ器具本体７０とは別に設けたものである。クリップ８２の上側にボール状部８１が連結されている。この利用方法は、クリップ８２でカーテンの一部を狭持すると共に、ボール状部８１を、カーテン吊り下げ器具本体７０の嵌合穴７１に挿入することにより、カーテンの吊り下げを行う。なお、嵌合穴には、ボール状部８１とクリップ８２との間を連結する連結部の挿入を助けると共に、ボール状部８１の保持を維持するため、切込み７２が設けられている。
【００２９】
図１２は、カーテン吊り下げ器具の保持部に関する他の実施例である。
カーテン吊り下げ器具本体９０には、内面が楔形状で、下方に向かって幅が狭くなるように構成された案内部９１が設けられている。
該案内部９１の内側に、下側を開放端とする略コ字状の断面形状を有する可動部材１００を配置し、該可動部材１００を案内部９１の内面に沿って上下方向に移動させることにより、該可動部材１００の開放端の幅を可変に構成している。また、可動部材１００の上下移動の操作を容易にするため、可動部材１００に接続された操作レバー１０２を設けることができる。該操作レバー１０２は、カーテン吊り下げ器具本体に、必要に応じて、９２のような開口を儲け、本体外部に突出させることも可能である。さらに、可動部材１００を上下方向の所定位置に固定するため、開口９２の内面に凹凸を形成し、操作レバー１０２と係合するように構成しても良い。
【００３０】
図１３は、更に別の保持部の構成を示す図である。この保持部は、図１３（ａ）（ｂ）のように、周面にギヤ形状１２１を有する可動部材１２０と、カーテン吊り下げ器具本体１１０に設けられ、該可動部材１２０を内部に保持する案内保持部から構成される。
案内保持部の形状は、略コ字状を形成する凸片１１１、１１２を有し、凸片１１２には、図１３（ｃ）に示すように、下方の位置ほど穴の深さが浅くなるように構成された案内部が形成されている。
該、案内部の下部付近には、可動部材１２０のギヤ形状部分と噛合う複数の溝１１４が形成されている。また、必要に応じて、カーテンの狭持効果を高めるため、凸片１１１の下部付近に複数の溝１１３を形成することも可能である。
さらに、可動部材１２０と凸片１１２の案内部内面との係合状態を解除するため、該案内部の下部付近には、可動部材１２０を上方に押し上げるための押上げ用穴１１５が形成されている。該穴には、解除用ピン１３０などが挿入され、可動部材１２０を上方に押し上げる。
【００３１】
また、他の保持部の構成としては、面ファスナーを利用し、ホック（ｈｏｏｋ）テープとループ（ｌｏｏｐ）テープのいずれかをカーテン吊り下げ器具本体に、他方をカーテンの裏面上に取り付け、両者の接合面を合わせることにより、カーテンの鉛直方向の途中の吊り下げを行うことも可能である。
本発明においては、上述したように各種の保持部の構成が採用でき、上記説明に限らず、当該技術分野における他の周知の技術も適用されることは、言うまでもない。
【００３２】
【発明の効果】
上記本発明によれば、既製の縫い上げられたカーテンを用いた場合でも、その裾を解いて再縫製したり、または、カーテンを裁断するなどの手間・費用を省略し、きわめて簡単にカーテンを丈調整した状態で吊り下げることができる。しかも、既製のカーテン丈が前飾り付きのスタイルカーテンとして利用できるなどの付加効果も期待できる。
【図面の簡単な説明】
【図１】本発明のカーテン吊り下げ器具の基本的考え方を示す図
【図２】本発明のカーテン吊り下げ器具を適用したカーテンの正面図
【図３】本発明のカーテン吊り下げ器具を適用したカーテンの裏面図
【図４】図３における一点鎖線Ｄの断面図
【図５】ベルトアジャスター及び可動アジャスターの実施例を示す図
【図６】ベルトアジャスター及び可動アジャスターの他の実施例を示す図
【図７】本発明のカーテン吊り下げ器具を適用した他のカーテンの裏面図
【図８】図７における一点鎖線Ｇの断面図
【図９】ピン状部材に係る実施例を示す図
【図１０】狭持部に係る第１の実施例を示す図
【図１１】狭持部に係る第２の実施例を示す図
【図１２】狭持部に係る第３の実施例を示す図
【図１３】狭持部に係る第４の実施例を示す図
【符号の説明】
１  カーテン
１３，３０  ベルトアジャスター部
２０，４０  可動アジャスター部材
５５  ピン状部材
【図１】
0003623782.tif 000002
【図２】
0003623782.tif 000003
【図３】
0003623782.tif 000004
【図４】
0003623782.tif 000005
【図５】
0003623782.tif 000006
【図６】
0003623782.tif 000007
【図７】
0003623782.tif 000008
【図８】
0003623782.tif 000009
【図９】
0003623782.tif 000010
【図１０】
0003623782.tif 000011
【図１１】
0003623782.tif 000012
【図１２】
0003623782.tif 000013
【図１３】
0003623782.tif 000014